【事件の表示】
　特許第３１０７８５０号「化粧品基材」の請求項１に係る特許に対する特許異議の申立てについて、次のとおり決定する。
【結　論】
　訂正を認める。
　特許第３１０７８５０号の請求項１に係る特許を維持する。
【理　由】
１．手続の経緯
　本件特許第３１０７８５０号発明は、平成３年２月２７日の出願であって、平成１２年９月８日にその特許権の設定登録がなされ、その後、伊藤壽朗より特許異議の申し立てがなされ、当審により取り消し理由通知がなされ、その指定期間内である平成１４年３月６日に訂正請求がなされたものである。
　
２．訂正の適否についての判断
　ア．訂正の内容
  特許権者が求めている訂正の内容は、以下のとおりである。
訂正事項ａ．
　特許請求の範囲における請求項1の
「【請求項1】シクロデキストリン類を除く糖類にアルケニル無水コハク酸を反応させて得られる糖類のアルケニルコハク酸エステルからなる化粧品基材。」を、
「【請求項1】単糖類、オリゴ糖、加水分解澱粉、糖アルコール、還元澱粉糖化物および還元麦芽水飴から選ばれる糖類に、オクテニル無水コハク酸、ドデセニル無水コハク酸、テトラデセニル無水コハク酸およびオクタデセニル無水コハク酸から選ばれるアルケニル無水コハク酸を反応させて得られる糖類アルケニルコハク酸エステルのナトリウム塩、カリウム塩、アンモニウム塩またはトリエタノールアミン塩の水溶液からなる化粧品基材。」と訂正する。
訂正事項ｂ．
　特許明細書の段落【0007】における「・・・トリメチルアミンエチルアミン・・・」を「・・・トリメチルアミン、エチルアミン・・・」と訂正する。
　イ．訂正の適否、新規事項の有無及び拡張・変更の存否
　上記の訂正事項ａ．は、「シクロデキストリン類を除く糖類」を「単糖類、オリゴ糖、加水分解澱粉、糖アルコール、還元澱粉糖化物および還元麦芽水飴から選ばれる糖類」に訂正し、「アルケニル無水コハク酸」を「オクテニル無水コハク酸、ドデセニル無水コハク酸、テトラデセニル無水コハク酸およびオクタデセニル無水コハク酸から選ばれるアルケニル無水コハク酸」に訂正し、「糖類のアルケニルコハク酸エステル」を「糖類アルケニルコハク酸エステルのナトリウム塩、カリウム塩、アンモニウム塩またはトリエタノールアミン塩の水溶液」に訂正するものであるから、特許請求の範囲の減縮を目的とするものである。
　訂正事項ｂ．は、誤記の訂正を目的とするものであることが明らかである。
　そして、上記の訂正事項は、特許明細書に記載された事項の範囲内のものであって、かつ、実質上特許請求の範囲を拡張し又は変更するものではない。
　ウ．むすび
　以上のとおりであるから、上記訂正請求は、特許法第１２０条の４第２項及び同条第３項で準用する第１２６条第２項及び第３項の規定に適合するので、当該訂正を認める。
　
３．特許異議の申立てについて
　ア．本件発明
　特許第３１０７８５０号の請求項１に係る発明は、訂正明細書の請求項１に記載された次のとおりのものである。
　「【請求項1】単糖類、オリゴ糖、加水分解澱粉、糖アルコール、還元澱粉糖化物および還元麦芽水飴から選ばれる糖類に、オクテニル無水コハク酸、ドデセニル無水コハク酸、テトラデセニル無水コハク酸およびオクタデセニル無水コハク酸から選ばれるアルケニル無水コハク酸を反応させて得られる糖類アルケニルコハク酸エステルのナトリウム塩、カリウム塩、アンモニウム塩またはトリエタノールアミン塩の水溶液からなる化粧品基材。」（以下、「本件発明」ともいう。）
　イ．申立の理由の概要
　特許異議申立人伊藤壽朗（以下、「申立人」という。）は、証拠として甲第１号証（特開昭５７−１１９０７号）、甲第２号証（米国特許第４，９８３，３８３号明細書）、甲第３号証（特開昭６１−２６０１００号公報）、甲第４号証（特開昭６３−２７７６０６号公報）、甲第５号証（特開平２−２３１４１２号公報）、甲第６号証（特開昭６３−２０３８２号公報）及び甲第７号証（特開昭５３−８８８０７号公報）を提出し、訂正前の本件請求項１に係る発明は、特許法第２９条第２項の規定に違反してなされたのであるから、特許を取り消すべき旨主張する。
　ウ．申立人が提出した甲号証記載の発明
　申立人が提出した甲第１号証には、
「（ａ）抗発汗剤として有効な量の活性抗発汗剤物質、（ｂ）軟化剤オイル、および（ｃ）組成物の全重量を基準にして１〜約５０重量％のでんぷんからなり、組成物中のオイルおよびでんぷんの相対量は組成物が実質的に油状の触感を示さない量であることを特徴とする抗発汗剤スチック組成物」（特許請求の範囲第１項）、
「該でんぷんがオクテニルこはく酸アルミニウムでんぷんである特許請求の範囲第４項記載の組成物」（特許請求の範囲第５項）、
「”活性物質”と共にこの抗発汗剤スチックにでんぷんを配合することによってこのグリース状および油状の触感をなくすことができることが今や発見された。」（公報第２頁左欄第５行〜第７行）、及び
「種々の天然でんぷんまたは変性でんぷんのうちの任意のもの（以下これを一括してでんぷんと呼ぶ）が本発明のスチック状の抗発汗剤の配合に使用しうる。その例として、とうもろこしでんぷん、米でんぷんなどがあげられる。本発明の好ましい態様において、オクテニルこはく酸アルミニウムでんぷんとして知られる変性でんぷんが使用される。このものは無水オクテニルこはく酸とでんぷんとの反応生成物のアルミニウム塩である。この種の製品はＤＲＹ ＦＬＯ（ナショナルスターチ）なる名前で市販されている。」（公報第２頁右上欄第７行〜第１５行）
という記載がある。
　同甲第２号証は、非硬質シリコーンゴムおよび該シリコーンゴム中に分散され、相互作用しない不溶化粒状物を含有するヘアケア組成物に関するものであり、該不溶化粒状物としてコハク酸アルミニウムデンプンオクテニルが具体的に記載されている。
  　同甲第３号証は、無水アルキルー及びアルケニルコハク酸とたん白質加水分解物の反応によって得られる新規オリゴペプチドー誘導体に関するものであり、これを皮膚及び毛髪のための化粧用洗浄剤中に皮膚に穏やかな界面活性剤として使用することが記載されている。（公報第２頁左下欄第５〜８行）
　同甲第４号証は、皮膚および毛髪用組成物に関するもので、特定のスルホコハク酸エステル塩型界面活性剤の一種または二種以上と、水溶性キチン誘導体の一種または二種以上を配合したことを特徴とする皮膚および毛髪用組成物が記載されている（特許請求の範囲）。
　同甲第５号証は、低刺激性洗浄剤組成物に関するものであり、「アルキルサッカライド系界面活性剤及びスルホコハク酸系界面活性剤を含有する低刺激性洗浄剤組成物」（特許請求の範囲の請求項１）が記載されている。
　同甲第６号証は、発色組成物に関するもので、「アルケニルコハク酸又はその誘導体を０．１〜１０重量％含有する水溶液若しくはアルコール性水溶液（アルコール分が５０重量％を越えない）からなる発色組成物」（特許請求の範囲第１項）が記載されている。
　同甲第７号証には、「澱粉糖脂肪酸エステル類からなるシャンプー」（特許請求の範囲）が記載されている。
　エ．判断
　申立人の提出した甲第１及び２号証に記載された無水オクテニルこはく酸アルミニウムでんぷんは、本件発明における「単糖類、オリゴ糖、加水分解澱粉、糖アルコール、還元澱粉糖化物および還元麦芽水飴から選ばれる糖類に、オクテニル無水コハク酸、ドデセニル無水コハク酸、テトラデセニル無水コハク酸およびオクタデセニル無水コハク酸から選ばれるアルケニル無水コハク酸を反応させて得られる糖類アルケニルコハク酸エステルのナトリウム塩、カリウム塩、アンモニウム塩またはトリエタノールアミン塩」のいずれにもあたらず、しかもこれら請求項１に記載のもの（以下、「前者」という。）はいずれも水溶性を有するのに対し、無水オクテニルこはく酸アルミニウムでんぷんは、水に加えると、容易には分散せず水に浮く性質があり、水溶性を有しないものであって、前者とは全く異質の性質を有するものであり、当然のことながら水溶液として用いることのできないものであるから、無水オクテニルこはく酸アルミニウムでんぷんが化粧品の成分の一つとして甲第１及び２号証に記載されているからといって、このことから前者の水溶液を化粧品基材として用いることを容易に想到することはできないものである。
　甲第３号証〜甲第７号証に記載されているものは、いずれも前者と全く異なる物質であって、それらの記載から、前者を想到することもまた当業者が容易に想到することはできないものである。
　そして、本件発明は、このような構成を採用することにより、良好な使用感、仕上り感を与え、かつ皮膚科学的に安定な化粧品を与える等の、本件特許明細書に記載されたとおりの顕著な効果を奏するものである。
　したがって、本件発明は、申立人が提出した甲第１〜７号証に記載された発明に基づいて当業者が容易に発明し得たものではない。
　
４．むすび
　以上のとおりであるから、本件請求項１に係る特許は、特許異議申立ての理由及び証拠によっては取り消すことができない。
  また、他に本件発明の特許を取り消すべき理由を発見しない。
  よって、結論のとおり決定する。
【異議決定日】
平成１４年６月２０日（２００２．６．２０）
【訂正の要旨】
　訂正の要旨
訂正事項ａ．
　特許請求の範囲における請求項１の
「【請求項１】シクロデキストリン類を除く糖類にアルケニル無水コハク酸を反応させて得られる糖類のアルケニルコハク酸エステルからなる化粧品基材。」を、
「【請求項１】単糖類、オリゴ糖、加水分解澱粉、糖アルコール、還元澱粉糖化物および還元麦芽水飴から選ばれる糖類に、オクテニル無水コハク酸、ドデセニル無水コハク酸、テトラデセニル無水コハク酸およびオクタデセニル無水コハク酸から選ばれるアルケニル無水コハク酸を反応させて得られる糖類アルケニルコハク酸エステルのナトリウム塩、カリウム塩、アンモニウム塩またはトリエタノールアミン塩の水溶液からなる化粧品基材。」と訂正する。
訂正事項ｂ．
　特許明細書の段落【０００７】における「・・・トリメチルアミンエチルアミン・・・」を「・・・トリメチルアミン、エチルアミン・・・」と訂正する。
（５４）【発明の名称】
化粧品基材
（５７）【特許請求の範囲】
　【請求項１】　
単糖類、オリゴ糖、加水分解澱粉、糖アルコール、還元澱粉糖化物および還元麦芽水飴から選ばれる糖類に、オクテニル無水コハク酸、ドデセニル無水コハク酸、テトラデセニル無水コハク酸およびオクタデセニル無水コハク酸から選ばれるアルケニル無水コハク酸
のナトリウム塩、カリウム塩、アンモニウム塩またはトリエタノールアミン塩の水溶液
【発明の詳細な説明】
　【０００１】
　【産業上の利用分野】
　本発明は、糖類のアルケニルコハク酸エステルからなる新規な化粧品基材、さらに詳しくは、良好な使用感、仕上り感を与え、かつ皮膚科学的に安定な化粧品を与える化粧品基材に関するものである。
　【０００２】
　【従来の技術】
　近年、人体に対する無害性、毛髪や皮膚に対する親和性およびその優れた特性から、天然物またはその誘導体が化粧品用基材として広く利用される傾向にある。その例としては、加水分解タンパク質、ラノリン、脂質、ビタミン類、セルロース、グアガム、澱粉などの多糖類およびこれらの誘導体が挙げられる。例えば、米国特許第３１８６９１１号明細書には、澱粉の第三級アミノアルキルエーテルであって、アミロースが２５〜５０重量％、アミロペクチンが７５〜５０重量％のアミノ化スターチを用いたヘアセット組成物が開示されており、また特公昭４７−２０６３５号公報にはシャンプーや毛髪化粧料に、水溶性カチオン性窒素含有ポリマーを用いることが記載されている。
　【０００３】
　【発明が解決しようとする課題】
　これらの従来使用されてきた原料は、これまでも保護コロイド、増粘剤、フィルム形成剤などとして使用されているが、近年化粧料の性能に対する要求が高度化しているため、これらの従来使用されてきた原料では、満足できる化粧料が得られない。例えば、カチオン変性ポリマーを用いたシャンプーや毛髪化粧料は、毛髪への吸着性が十分でないこと、使用後の毛髪の滑らかさなどの感触が劣ることなどの理由でいまだ満足できるものではなかった。
　【０００４】
　このような事情に鑑み、本発明は従来使用されてきた原料では困難であった良好な使用感、仕上り感を与え、かつ皮膚科学的に安定な化粧品を与える化粧品基材を提供することを目的とする。
　【０００５】
　【課題を解決するための手段】
　本発明者は前記の目的を達成すべく種々検討した結果、糖類にアルケニル無水コハク酸を反応させて得られる糖類のアルケニルコハク酸エステルからなる化粧品基材を用いることにより、本発明の目的を達成する各種の化粧料を製造することが出来ることを見出し、本発明を完成するに至った。
　【０００６】
　すなわち、本発明は、グルコース、マンノース、アロース、アルトロース、タロース、ガラクトース、イドース、グロース、フルクトース、タガトース、リボース、アラビノース、キシロース、リキソース、ソルボース、リブロース、キシルロース、アルドヘキソース、ケトヘキソース、プシコース、ラムノースなどの単糖類、ショ糖、マルトデキストリン類、イソマルトデキストリン類、セロオリゴ糖類、ガラクトオリゴ糖類、マンノオリゴ糖類、などのオリゴ糖類、酵素変性デキストリン、焙焼デキストリンなどの加水分解澱粉、グルコサミン、ガラクトサミン、コンドロサミン、マンノサミン、グロサミン、カノサミンなどのアミノ糖、グルクロン酸、グルロン酸、ガラクチュロン酸、マンヌュロン酸などの酸性糖、グリセリン、エリトリット、リビット、アラビット、マンニット、ソルビット、グルシット、ズルシット、ボレミットなどの糖アルコール、還元澱粉糖化物（還元水飴）、還元麦芽水飴などの糖類を出発物質とする。
　【０００７】
　そして、糖類にオクテニル無水コハク酸、デセニル無水コハク酸、ドデセニル無水コハク酸、テトラデセニル無水コハク酸、ヘキサデセニル無水コハク酸、オクタデセニル無水コハク酸などのアルケニル無水コハク酸を反応試薬とする。そして、糖類を水単独または水とアルコールやアセトンのような有機溶媒との混合溶媒に溶解し、アルケニル無水コハク酸を添加し、水酸化ナトリウム、水酸化カリウム、水酸化リチウムなどのアルカリ金属の水酸化物、炭酸ナトリウム、炭酸カリウム、炭酸リチウムなどのアルカリ金属の炭酸塩、ナトリウムメトキサイド、ナトリウムエトキサイド、カリウムメトキサイドなどのアルカリ金属のアルコキサイド、アンモニア、メチルアミン、ジメチルアミン、トリメチルアミン
、
　【０００８】
　本発明の糖類のアルケニルコハク酸エステルは、前記の触媒によってアルケニル無水コハク酸が開環反応し、片エステルとして糖にエステル結合したものであり、他方のカルボン酸は用いた触媒によりアルカリ金属塩やアミン塩となった溶液として得られる。糖類に対するアルケニル無水コハク酸の添加量は適宜選択できるが、反応生成物中に未反応の糖類も残るので、パラオキシ安息香酸エステルその他常用される防腐・防カビ剤を添加しても良い。また、本発明の化粧品基材には、必要に応じて、各種の界面活性剤、長鎖脂肪酸エステルや炭化水素などの油性物質、加水分解タンパク質、ラノリン、脂質、ビタミン類、香料、色素、ハイドロトロープ等の従来用いられている成分を配合することができる。本発明の糖類のアルケニルコハク酸エステルのシャンプー、リンスなどのヘアー・ケア製品への配合量は、０．１〜１５重量％が好ましく、０．０５重量％以下では効果が十分に発揮されず、１５重量％以上では好ましくない感触となる場合がある。クリームなどのスキン・ケア製品への配合量は０．５〜３０重量％が好ましい。
　【０００９】
　【実施例】
　つぎに実施例を挙げて本発明をさらに詳しく説明する。
実施例１
　グルコース１００重量部（以下単に部と略す）を水８０部に溶解し、オクテニル無水コハク酸５０部を添加し、３０℃で撹拌混合しながら水酸化ナトリウムの５０％溶液でｐＨを７．５に調整し８時間反応した。反応後、水含有量を調整し生成物を６０％水溶液とした。
　【００１０】
　実施例２
　実施例１において、ｐＨ調整の触媒をトリエタノールアミンにした以外は実施例１と同様にして生成物を得た。
実施例３
　実施例１において、グルコースをグリセリンにした以外は実施例１と同様にして生成物を得た。
実施例４
　実施例１において、グルコースをソルビットにした以外は実施例１と同様にして生成物を得た。
実施例５
　実施例１において、グルコースを酵素変性デキストリン（アミコールＮｏ．１日澱化學株式会社製）にした以外は実施例１と同様にして生成物を得た。
実施例６
　実施例１において、オクテニル無水コハク酸の添加量を１００部にした以外は実施例１と同様にして生成物を得た。
実施例７
　実施例１において、オクテニル無水コハク酸の添加量を１５０部にした以外は実施例１と同様にして生成物を得た。
実施例８
　実施例１において、オクテニル無水コハク酸をドデセニル無水コハク酸にした以外は実施例１と同様にして生成物を得た。
実施例９
　実施例１において、オクテニル無水コハク酸をオクタデセニル無水コハク酸にした以外は実施例１と同様にして生成物を得た。
　【００１１】
　実施例１０
　実施例１〜９で得られた９種類の糖類のアルケニルコハク酸エステルを用いて、表１に示す配合組成Ａのシャンプーを調製した。比較のために、そのカチオン化多糖類を含まない組成Ｂのものも調製した。
　【表１】
　このシャンプーを、１５名の女性試験者に使用してもらい性能評価を行った。その結果を表２に示す。表２の数値は、Ａが優れているとした人数からＢが優れているとした人数を差引いた値を表す。
　【表２】
　【００１２】
　実施例１１実施例２，５，７で調製された糖類のアルケニルコハク酸エステルを用いて表３に示す透明タイプシャンプーを調製した。
　【表３】
　このシャンプーは本発明の糖類のアルケニルコハク酸エステルを配合しないものに比べて、髪の滑らかさ、しっとり感の良さの点で著しく性能の向上が認められた。
　【００１３】
　実施例１２実施例１〜９で調製された糖類のアルケニルコハク酸エステルを用いて表４の組成の透明タイプのヘアーリンスおよび表５の組成のクリームタイプのヘアーリンスを調製した。
　【表４】
　【表５】
　実施例１３実施例１〜９で調製された糖類のアルケニルコハク酸エステルを用いて表６の組成のクレンジングクリームを調製した。
　【表６】
　本発明の糖類のアルケニルコハク酸エステルを配合したクリームは、これを配合しないクリームに比べて、伸びが良く、使用中の油性感が良好であることが認められた。実施例１４実施例１〜９で調製された糖類のアルケニルコハク酸エステルを用いて表７の組成の中性クリームを調製した。
　【表７】
　本発明の糖類のアルケニルコハク酸エステルを配合したクリームは、これを配合しないクリームに比べて、滑らかさ、しっとり感の点で優れ、しかもその効果は長時間持続した。
　【００１４】
　【発明の効果】
　本発明の糖類のアルケニルコハク酸エステルを化粧品基材として配合した化粧料は、（イ）毛髪や皮膚への親和性が良好で、フィルム形成性も良く、それらへの吸着性が優れる。（ロ）他の界面活性剤の併用によっても、糖類のアルケニルコハク酸エステルの保護コロイド効果は低下するようなことがなく、各種の陰イオンまたは両性界面活性剤を併用できる。（ハ）シャンプーに用いた場合、泡を安定化させ、豊かな泡立ちを持続する製品を得ることができる。（ニ）保湿性が優れ、毛髪や皮膚をしっとりさせ、毛髪に腰のある柔軟性を与え、毛髪のつやを向上させる。しかも、これらの効果は持続性がある。（ホ）毛髪や皮膚に平滑性を付与するので、使用後の感触が滑らかとなり、シャンプーに用いた場合には毛髪のくしの通りが良くなり、きしみ感がなくなり、クリームなどに用いた場合には製品の外観を損なうことなく、良好な使用感と仕上感を付与することができる。（ヘ）本発明の糖類のアルケニルコハク酸エステルは糖類を原料としているため合成品の化粧品に比較して、生分解性が優れているという特長がある。